(57)【要約】【課題】灯具背後からの光源の交換が容易な車両用灯具を提供する。【解決手段】ソケット22に光源本体24を一体化した光源21を灯室S内に配置し、灯室内給電線63がコネクタ50を介して光源21のソケット22に接続された車両用灯具で、光源21は、ランプボディ12に設けた開口部13aに灯具外方から挿着されて灯室S内に延出し、コネクタ50を挿着（給電線63を接続）した形態で灯具外方に脱着可能に構成した。光源21と開口部13aとの係合部を視認しながら、光源21の開口部13aへの挿脱着ができるので、光源21の交換作業が簡単になる。【選択図】図３
2013008509.tif 000002
【特許請求の範囲】
【請求項１】
ランプボディと前面カバーによって画成された灯室内に、ソケットに光源本体を一体化した光源が配置されるとともに、灯室内に延びる外部電力供給用の給電線が光源用コネクタを介して前記光源のソケットに接続された車両用灯具であって、
前記ランプボディに開口部が設けられ、前記光源は、該光源のソケットが灯具外方から前記開口部に挿着されて灯室内に延出するとともに、前記給電線を接続した形態で灯具外方に脱着できることを特徴とする車両用灯具。
【請求項２】
前記灯室内には、複数の前記光源が配置され、前記光源用コネクタを介して前記複数の光源のソケットにそれぞれ接続された複数の前記灯室内給電線は、前記ランプボディの所定位置に設けた集約コネクタを介して灯室外給電線に接続されたことを特徴とする請求項１に記載の車両用灯具。
【請求項３】
前記光源のソケット外周と前記開口部間には、前記光源のソケットを抜け止め保持するバヨネット係合手段が介装されるとともに、前記開口部を封止し、かつ前記バヨネット係合手段のバヨネット係合部を圧接状態に保持するＯリングが装填されたことを特徴とする請求項１または２に記載の車両用灯具。
【請求項４】
前記光源用コネクタは、前記ソケットの延出方向に沿って挿脱着できることを特徴とする請求項１〜３のいずれかに記載の化車両用灯具。
【請求項５】
前記光源用コネクタは、前記ソケットの延出方向と略直交する方向に挿脱着できることを特徴とする請求項１〜３のいずれかに記載の車両用灯具。
【発明の詳細な説明】
【技術分野】
【０００１】
本発明は、灯室内に光源を配置した車両用灯具に係り、特に灯室内に延びる外部電力供給用の給電線が光源用コネクタを介して光源に接続された車両用灯具に関する。
【背景技術】
【０００２】
この種の車両用灯具は、下記特許文献１に示すように、ランプボディと前面カバーによって画成された灯室内に複数の光源が配置され、ランプボディ背面壁の所定位置には、外部電源から延びる給電線が接続された集約コネクタが設けられ、該集約コネクタから灯室内に延びる複数の給電線がそれぞれのバルブハウジングを構成する光源用コネクタを介して、光源であるウェッジベースバルブ（無口金電球）にそれぞれ接続されることで、外部電力が複数の光源（ウェッジベースバルブ）にそれぞれ供給されるように構成されている。
【０００３】
灯室内に複数の光源が配置されているが、外部電源から灯具に延びる給電線は集約コネクタに集約されているので、集約コネクタをランプボディの所定位置（例えば、灯具の車幅方向内側）に設けることで、外部電源から灯具に延びる給電線がまとまるので、車体に組み付けた灯具の背後空間を有効に利用することができる。
【先行技術文献】
【特許文献】
【０００４】
【特許文献１】特開２００７−２２０４３３号公報（図１，２）
【発明の概要】
【発明が解決しようとする課題】
【０００５】
しかし、この種の車両用灯具において、光源を交換したい場合があるが、前記した特許文献１の灯具では、ランプボディの背面壁にバルブ交換用の開口部が設けられていないことから、簡単には光源を交換することはできない。
【０００６】
そこで、発明者は、ランプボディ背面壁の光源に対応する位置に、取り外し自在なバックカバーを装着した所定の大きさの開口部を設け、この開口部を介して、電球を一体化したバルブハウジング（光源用コネクタ）を灯具後方に抜き出したり挿入したりすること、即ち、この種の灯具で広く知られているバックカバー方式の採用を考えた。
【０００７】
しかし、光源を交換するには、バックカバーを取り外した開口部から指を灯室内に挿入し、バルブハウジングのリフレクター側挿着孔との係止を外し、バルブハウジングをつかんで該開口部から一旦後方に抜き出し、新たな電球に取替え、再び、開口部を介してバルブハウジングをリフレクター側挿着孔に挿入して、係止させる必要がある。
【０００８】
詳しくは、光源の交換作業は、自動車のボンネットを開けた状態で、自動車前部上方から灯具背後の狭い空間に手を差し入れた無理な姿勢で行うため、光源交換用の開口部の内側に位置する、バルブハウジングとリフレクター側挿着孔との係止部は、当然のことながら作業者からは全く見えない。したがって、バルブハウジングを灯室内に固定保持したり、固定保持を解除する作業は手探りとなり、経験と熟練を要す非常に面倒な作業となるという問題が発生する。
【０００９】
そこで発明者は、バルブハウジングにバックカバーとしての機能（ランプボディ背面壁に設けた開口部に取り外し可能に設けられて、該開口部を閉塞する機能）を持たせれば、バルブハウジングと開口部との係合部が作業者から見えるので、バルブの交換作業が簡単になると考えた。
【００１０】
本発明は、前記従来技術の課題に鑑みて、また発明者の前記した知見に基づいてなされたもので、その目的は、灯具背後からの光源の交換が容易な車両用灯具を提供することにある。
【課題を解決するための手段】
【００１１】
前記課題を解決するために、請求項１に係る車両用灯具においては、ランプボディと前面カバーによって画成された灯室内に、ソケットに光源本体を一体化した光源が配置されるとともに、灯室内に延びる外部電力供給用の給電線が光源用コネクタを介して前記光源のソケットに接続された車両用灯具であって、
前記ランプボディに開口部を設け、前記光源を、該光源のソケットを灯具外方から前記開口部に挿着して灯室内に延出するように構成するとともに、前記給電線を接続した形態で灯具外方に脱着できるように構成した。
【００１２】
（作用）光源を交換するには、まず、光源を灯具外方に脱着する。詳しくは、光源（のソケット）の開口部との係合を外し、光源用コネクタを挿着（コネクタ雌部とコネクタ雄部を連結）した形態、即ち、光源用コネクタを介して給電線を光源のソケットに接続した形態のまま、光源を該開口部から灯具外方に抜き出す。
【００１３】
次いで、光源用コネクタを脱着（コネクタ雌部とコネクタ雄部を分離）すれば、灯室内から導出している給電線の光源（のソケット）との接続が外れて、光源が灯具から確実に分離された状態となる。即ち、光源用コネクタとともに光源全体を開口部から抜き出した状態で、コネクタを脱着して、灯室内から延びる給電線の光源との接続を外すことで、光源を灯具から確実に分離できる。
【００１４】
ここで、光源を新たなものに取り替える。詳しくは、白熱バルブのように、ソケットから光源本体（白熱電球）を分離できるタイプの光源の場合は、光源本体だけを新たなものに取り替え、ディスチャージバルブのように、ソケットから光源本体（アークチューブ）を分離できないタイプの光源の場合は、光源ごと新たなものに取り替える。
【００１５】
そして、光源用コネクタを挿着（コネクタ雌部とコネクタ雄部を連結）することで、室内から導出している給電線を新たな光源のソケットに接続した後、この新たな光源をコネクタとともに灯具外方から開口部に挿着する。
【００１６】
この光源の交換作業では、一般には、自動車のボンネットを開けた状態で、自動車前部上方から灯具背後の狭い空間に手を差し入れるという無理な姿勢が作業者に強いられて、それだけ作業がし難い。しかし、光源と開口部との係合部が作業者から見える位置にあるため、作業者は、灯具背後の狭い空間の上方から、光源と開口部との係合部を視認しながら、光源の開口部への挿脱着を行うことができる。
【００１７】
請求項２においては、請求項１に記載の車両用灯具において、前記灯室内に複数の前記光源を配置し、前記光源用コネクタを介して前記複数の光源のソケットにそれぞれ接続した複数の灯室内給電線を、前記ランプボディの所定位置に設けた集約コネクタを介して灯室外給電線に接続するように構成した。
【００１８】
（作用）灯室外給電線（外部電源から灯具まで延びる給電線）は、ランプボディに設けた集約コネクタに集約されているので、集約コネクタを設ける位置によって、灯室外給電線を配回す位置を変えることができる。
【００１９】
また、たとえ複数の光源が灯室内上下に配置されて、ランプボディ背面壁に設けられた複数の開口部が上下に重なる場合であっても、光源と開口部との係合部はそれぞれ灯具背面側に露呈しているので、灯具上方からの作業者の目線を、開口部が重なる上下方向に対し左右いずれかに傾けることで、下方側の光源と開口部との係合部の少なくとも一部が見えることから、作業者は、灯具背後の狭い空間の上方斜め方向から、下方側の光源と開口部との係合部を視認しながら、光源の開口部への挿脱着を行うことができる。
【００２０】
請求項３においては、請求項１または２に記載の車両用灯具において、前記光源のソケット外周と前記開口部間に、前記光源のソケットを抜け止め保持するバヨネット係合手段を介装するとともに、前記開口部を封止し、かつ前記バヨネット係合手段のバヨネット係合部を圧接状態に保持するＯリングを装填するように構成した。
【００２１】
（作用）例えば、開口部が円形に構成され、光源のソケットにおける円形開口部が係合する領域も横断面円形に構成されている。ソケット外周には、円形開口部の周縁部の内外側面に沿って摺動可能な係合突起（バヨネット部）とフランジ部とが形成され、一方、円形開口部には係合突起（バヨネット部）と軸方向に係合する切欠が形成されて、係合突起の開口部への出し入れ、および光源（のソケット）の開口部周方向への回動ができるバヨネット係合手段が構成されている。
【００２２】
即ち、光源のソケット外周に設けられた、周方向複数のバヨネット部である係合突起と、ソケット側の係合突起と軸方向にそれぞれ係合可能な複数の切欠が設けられた円形開口部によって、光源のソケットを抜け止め保持するバヨネット係合部が構成されている。
【００２３】
また、光源のソケット側のフランジ部と円形開口部の周縁部間に装填されたＯリングは、円形開口部を封止するとともに、バヨネット係合部（係合突起と円形開口部）を圧接状態に保持するので、光源のソケットは円形開口部の周方向所定位置に固定保持される。
【００２４】
したがって、光源を円形開口部に挿着する場合は、係合突起が円形開口部の切欠に軸方向に一致するようにして、Ｏリングが圧縮されるように光源のソケットを円形開口部に挿入して回動すれば、バヨネット係合部（係合突起と円形開口部）が係合し、該バヨネット係合部がＯリングの弾発力で圧接した形態に保持されて、光源のソケットが円形開口部の周方向所定位置に固定保持される。一方、この状態から、光源のソケットを係合突起が円形開口部の切欠と軸方向に一致する位置まで回動すると、バヨネット係合部の係合が外れ、光源のソケットを円形開口部から抜き出す（光源を脱着する）ことができる。
【００２５】
請求項４においては、請求項１〜３のいずれかに記載の車両用灯具において、前記光源用コネクタを前記ソケットの延出方向に沿って挿脱着できるように構成した。
【００２６】
（作用）光源用コネクタを挿着したまま、即ち、光源用コネクタを介して給電線を光源のソケットに接続した形態のまま、光源を灯具外方から光源交換用の開口部に挿脱着するためには、コネクタを含む灯室内に延出する光源全体の外周の大きさが、光源交換用の開口部の大きさよりも小さいことが不可欠である。
【００２７】
そして、光源用コネクタは、コネクタ雌部とコネクタ雄部で構成されて、コネクタの挿脱着方向（コネクタ雌部とコネクタ雄部の連結・分離方向）にはある程度の大きさを必要とするが、コネクタの挿脱着方向と直交する方向には、それほどの大きさを必要としない。
【００２８】
このため、コネクタの挿脱着方向がソケットの延出方向に沿っている請求項４では、コネクタを含む灯室内に延出する光源全体の外周の大きさはそれほど大きくはならず、それだけ開口部の大きさを小さくできる。
【００２９】
請求項５においては、請求項１〜３のいずれかに記載の車両用灯具において、前記光源用コネクタを前記ソケットの延出方向と略直交する方向に挿脱着できるように構成した。
【００３０】
（作用）光源本体の発光を有効に利用するために、灯室内における光源の近傍に光源本体の発光を灯室前方所定方向に反射するリフレクターを配置する場合があるが、光源用コネクタがソケットの延出方向に沿って着脱できる請求項４では、ある程度の大きさでソケットと平行に延出している光源用コネクタとの干渉を避けるためには、リフレクターをソケットに接近する位置まで十分延出することができず、リフレクターの有効反射面積を拡大できない。
【００３１】
然るに、ソケットの延出方向と略直交する方向にある程度の大きさで延出している光源用コネクタを備えた請求項５では、光源用コネクタを光源交換用の開口部の近傍（ソケットの基端部寄り）となるように設計することで、リフレクターをコネクタと干渉させることなくソケットに接近する位置まで延出することができ、リフレクターの有効反射面積を拡大できる。
【発明の効果】
【００３２】
以上の説明から明らかなように、本発明に係る車両用灯具によれば、作業者は、光源と開口部との係合部を視認しながら、光源の開口部への挿脱着を行うことができるので、たとえ経験と熟練が少ない初心者であっても光源の交換作業を簡単に遂行できる。
【００３３】
特に、光源用コネクタを挿着した形態の光源（給電線が接続された形態の光源）を灯具外に抜き出した状態で、光源用コネクタの挿脱着（灯室内から延びる給電線と光源との接続および接続解除）ができるので、光源の交換作業をいっそうスムーズに遂行できる。
【００３４】
請求項２によれば、集約コネクタをランプボディの所定位置（例えば、灯室外給電線が灯具の背後空間を狭めることがない所定位置）に設けることで、灯具の背後空間を有効に利用することができる等、灯室外給電線を配回しするための設計の自由度が増す。
【００３５】
また、たとえ複数の光源が灯室内上下に配置されていたとしても、作業者は、それぞれの光源と開口部との係合部を視認しながら、光源の開口部への挿脱着を行うことができるので、たとえ経験と熟練が少ない初心者であっても光源の交換作業を簡単に遂行できる。
【００３６】
請求項３によれば、光源のソケットを開口部周方向に回動操作するだけで、バヨネット係合部の係合および係合解除ができるので、光源の開口部への挿脱着が容易な分、光源の交換作業がさらに簡単になる。
【００３７】
また、光源を挿着した開口部はＯリングによって封止されているので、灯室内の防水が保証される。
【００３８】
請求項４によれば、光源用コネクタを含む灯室内に延出する光源全体の外周の大きさをコンパクトに構成できる分、開口部の大きさを小さくできるので、光源交換のための灯具後方の占有スペースを小さくできる。
【００３９】
また、開口部を小さくできる分、開口部封止手段がコンパクトになるとともに、開口部における防水機能も向上する。
【００４０】
請求項５によれば、光源近傍に配光形成用のリフレクターを配置して光源本体の発光を有効利用する場合、リフレクターを光源用コネクタと干渉させることなくソケットに接近する位置まで延出できるので、それだけリフレクターの有効反射面積が拡大されて、灯具の配光量をいっそう高めることができる。
【図面の簡単な説明】
【００４１】
【図１】本発明の第１の実施例である自動車用前照灯の縦断面図である。
【図２】同前照灯の要部である標識灯ユニットの拡大縦断面図である。
【図３】標識灯ユニットの光源を交換する作業の手順を説明する説明図で、（ａ）は開口部から光源を抜き出す状態を示す図、（ｂ）は灯具から分離した光源の光源本体を取り替える状態を示す図、（ｃ）は開口部に光源を挿入する状態を示す図である。
【図４】本発明の第２の実施例である自動車用前照灯の要部である標識灯ユニットの縦断面図である。
【発明を実施するための形態】
【００４２】
本発明に係る車両用灯具を自動車用前照灯に適用した第１の実施例を、図１〜３に基づいて説明する。図１は本発明の第１の実施例である自動車用前照灯の縦断面図、図２は同前照灯の要部である標識灯ユニットの縦断面図、図３は標識灯ユニットの光源を交換する作業の手順を説明する説明図である。
【００４３】
図１において、自動車用前照灯（灯具）１０は、前面側が開口する容器状のランプボディ１２と、ランプボディ１２の前面開口部に組み付けられた前面カバー１８を備え、両者１２，１８によって画成された灯室Ｓ内には、標識灯ユニット２０と前照灯ユニット４０が配置されている。
【００４４】
灯室Ｓ内上方に配置された標識灯ユニット２０は、図１，２に示すように、ランプボディ１２の背面壁に設けた光源交換用の円形開口部１３ａに挿着された光源（白熱バルブ）２１と、ランプボディ１２の背面壁から前方に延出する延出部１２ａに支持されて、光源２１の発光を灯室前方に反射する配光形成用の放物面形状のリフレクター２６とを備えている。
【００４５】
光源（白熱バルブ）２１は、灯具１０の後方から円形開口部１３ａに挿着されて前方に延出する樹脂製のソケット２２と、ソケット２２前端のバルブ挿着穴２２ａに挿着された光源本体である白熱電球２４で構成され、白熱電球２４を挿着一体化したソケット２２は、リフレクター２６の中央円穴２６ａを貫通して前方に延出し、白熱電球２４の発光中心がリフレクター２６の焦点位置にほぼ一致している。
【００４６】
また、ソケット２２の基端部には、円形開口部１３ａに係合する横断面円形の前面部２２ｂ、および円形開口部１３ａの外側周縁部に係合するフランジ部２３が一体に形成されるとともに、前面部２２ｂの外周には、周方向略等分３箇所にバヨネット部である係合突起３４が形成されている。符号２２ｃは、ソケット２２の後端部に一体に形成された回動操作部である。
【００４７】
一方、ランプボディ１２の円形開口部１３ａには、ソケット２２側の３個の係合突起３４と軸方向にそれぞれ係合する大きさの３箇所の切欠１４が設けられて、切欠１４を介して係合突起３４が円形開口部１３ａの内外に移動（挿入・脱出）できる。そして、円形開口部１３ａの外側周縁部とソケット２２外周のフランジ部２３間には、円形開口部１３ａを封止し、かつ係合突起３４と円形開口部１３ａで構成されたバヨネット係合部３０を圧接状態に保持するＯリング３６が装填されている。
【００４８】
また、ランプボディ１２の円形開口部１３ａの外側周縁部には、円形開口部１３ａを取り囲むように円筒形状に延在する、フランジ部２３係合用の立壁１６が形成されて、光源２１（のソケット２１）は軸周り（円形開口部１３ａ周方向）にスムーズに回動することができる。
【００４９】
また、灯室Ｓ内下方に配置された前照灯ユニット４０は、図１に示すように、投射凸レンズ４２と、配光形成用シェード４４と、楕円反射鏡４６と、光源（ディスチャージバルブ）４８で構成されている。
【００５０】
投射凸レンズ４２，配光形成用シェード４４および楕円反射鏡４６は、投射ユニット４１として一体化されて、ランプボディ１２の背面壁から延出するランプブラケット１２ｂに支持されている。
【００５１】
一方、光源（ディスチャージバルブ）４８は、ランプボディ１２の背面壁所定位置に設けた光源交換用の円形開口部１３ｂに灯具１０後方から挿着されて灯室内前方に延出するソケット（円筒形状絶縁性ベース）４８ａと、ソケット４８ａに一体化されて前方に延出する光源本体（アークチューブ）４８ｂで構成され、両者４８ａ，４８ｂは分離できないように一体化されている。
【００５２】
そして、ソケット４８ａから前方に延出する光源本体４８ｂは、投射ユニット４１を構成する楕円反射鏡４６の円孔４６ａを貫通し、楕円反射鏡４６の第２焦点位置に光源本体４８ｂの発光中心がほぼ一致している。
【００５３】
また、ソケット４８ａの基端部には、円形開口部１３ｂに係合する横断面円形の前面部２２ｂ、円形開口部１３ｂの外側周縁部に係合するフランジ部２３、および回動操作部２２ｃが一体に形成されるとともに、前面部２２ｂの外周には、周方向略等分３箇所にバヨネット部である係合突起３４が形成されている。
【００５４】
一方、円形開口部１３ｂには、係合突起３４に対応する切欠１４が形成され、円形開口部１３ｂと係合突起３４によってバヨネット係合部３０が構成されている。そして、円形開口部１３ｂとフランジ部２３間の相対摺動部には、Ｏリング３６が装填されて、円形開口部１３ｂが封止されるとともに、円形開口部１３ｂと係合突起３４間が圧接状態に保持されている。
【００５５】
この前照灯ユニット４０の光源４８と円形開口部１３ａ間に介装されたバヨネット係合手段は、標識灯ユニット２０の光源２１と円形開口部１３ａ間に介装されたバヨネット係合手段と同様であるので、その図示および重複した説明は省略する。
【００５６】
また、光源２１（４８）には、コネクタ雄部５２とコネクタ雌部５４で構成されたコネクタ５０を介して、外部電力を供給する灯室内給電線６３（６４）が接続されている。詳しくは、光源のソケット２２の側面には、図１，２に示すように、ソケット延出方向と直交する方向に一対の雄端子を露出させたコネクタ雄部５２が一体に形成されており、コネクタ雄部５２に挿着されたコネクタ雌部５４から延びる灯室内給電線６３（６４）は、ランプボディ１２に設けたクランプ部材６３ａ（６４ａ）によって、開口部１３ａ（１３ｂ）近傍において弛むように保持されている。このため、後述するように、光源２１（４８）を灯室内給電線６３（６４）を接続した形態で灯具外に抜き出すことができるし、灯具外に抜き出した後で、コネクタ５０を脱着（ソケット２２側のコネクタ雄部５２からコネクタ雌部５４を分離）することで、光源２１（４８）と給電線６３（６４）との接続を外すことができる。
【００５７】
また、外部電源（図示せず）から光源２１，４８に延びる給電線は、図１に示すように、外部電源から灯具まで延びる灯室外給電線６１，６２と、灯室内を光源２１，４８まで延びる灯室内給電線６３，６４で構成され、灯室外給電線６１，６２と灯室内給電線６３，６４は、ランプボディ１２の背面壁に設けた集約コネクタ７０を介して接続されている。
【００５８】
即ち、ランプボディ１２の背面壁に設けた集約コネクタ７０のコネクタ雄部７２から灯室Ｓ内に延びる灯室内給電線６３，６４は、光源用コネクタ５０のコネクタ雌部５４に接続され、外部電源から灯具まで延びる灯室外給電線６１，６２は、集約コネクタ７０のコネクタ雌部７４に接続されており、集約コネクタ７０が挿着（コネクタ雄部７２とコネクタ雌部７４が連結）されるとともに、光源用コネクタ５０が挿着（コネクタ雄部５２とコネクタ雌部５４が連結）されることで、標識灯ユニット２０の光源２１および前照灯ユニット４０の光源４８それぞれに外部電力が供給されるように構成されている。
【００５９】
このように、本実施例では、灯室外給電線６１，６２を集約する集約コネクタ７０がランプボディ１２の背面壁の下方位置に設けられているので、灯室外給電線６１，６２が後述する光源の交換作業の邪魔にならない等、灯具１０の背後空間を有効に利用することができる。
【００６０】
次に、標識灯ユニット２０の光源２１を交換する作業の手順を、図３に基づいて説明する。
【００６１】
まず、灯具１０の後方から光源２１を脱着する。詳しくは、光源（のソケット２２）の回動操作部２４を指でつかんで反時計方向に回動してバヨネット係合部３０の係合を解除することで、光源（のソケット２２）と開口部１３ａとのバヨネット係合を外す。そして、図３（ａ）矢印Ａに示すように、光源用コネクタ５０を挿着（コネクタ雌部５４とコネクタ雄部５２を連結）した形態、即ち、コネクタ５０を介して給電線６３を光源２１（のソケット２２）に接続した形態のまま、光源２１を開口部１３ａから灯具１０外方に抜き出す。
【００６２】
次いで、図３（ａ）矢印Ｂに示すように、コネクタ５０を脱着（コネクタ雌部５４をコネクタ雄部５２から分離）すれば、灯室Ｓ内から導出している給電線６３の光源２１（のソケット２２）との接続が外れて、光源２１が灯具１０から確実に分離された状態となる。
【００６３】
即ち、図３（ａ）に示すように、コネクタ５０とともに光源２１全体を開口部１３ａから抜き出した状態で、コネクタ５０を脱着して、灯室Ｓ内から延びる給電線６３の光源２１との接続を外すことで、光源２１を灯具１０から確実に分離する。
【００６４】
ここで、図３（ｂ）矢印Ｃ，Ｄに示すように、ソケット２２に挿着されている光源本体（白熱電球）２４を新たなものに取り替えた後、図３（ｂ）矢印Ｅに示すように、分離されているコネクタ５０を挿着（コネクタ雌部５４をコネクタ雄部５２に連結）して、灯室Ｓ内から導出している給電線６３を新たな光源２１（のソケット２２）に接続する。
【００６５】
そして、図３（Ｃ）に示すように、この新たな光源２１をコネクタ５０とともに灯具１０外方から開口部１３ａに挿入し、反時計方向に回動してバヨネット係合部３０を係合することで、光源２１を開口部１３ａに挿着する。
【００６６】
この光源２１を交換する作業では、自動車のボンネットを開けた状態で、作業者は、自動車前部上方から灯具背後の狭い空間に手を差し入れるという無理な姿勢が強いられて、それだけ作業がし難い。しかし、光源２１と光源交換用の開口部１３ａとの係合部が作業者から見える位置にあるため、作業者は、灯具１０背後の狭い空間の上方から、光源２１と光源交換用の開口部１３ａとの係合部を視認しながら、光源２１の開口部１３ａへの挿脱着を行うことができる。
【００６７】
なお、前照灯ユニット４０の光源４８を交換する場合も、標識灯ユニット２０の光源２１を交換する作業の手順と同様で、作業者は、灯具１０背後の狭い空間の上方から、光源４８と光源交換用の開口部１３ｂとの係合部を視認しながら、光源４８の開口部１３ｂへの挿脱着を行うことができる。
【００６８】
このように、作業者は、光源２１，４８と光源交換用の開口部１３ａ，１３ｂとの係合部を視認しながら、光源の開口部１３ａ，１３ｂへの挿脱着を行うことができるので、たとえ経験と熟練が少ない初心者であっても光源２１，４８の交換作業を簡単に遂行できる。
【００６９】
特に、コネクタ５０を装着した形態の光源２１，４８を灯具１０外に抜き出した状態で、コネクタ５０の挿脱着ができるので、光源２１，４８の交換作業をいっそうスムーズに遂行できる。
【００７０】
また、コネクタ５０は、ソケット２２の延出方向と略直交する方向に挿脱着（コネクタ雌部５４とコネクタ雄部５２を連結・分離）できるように構成されているが、本実施例では、リフレクター２６との干渉を避けるために、コネクタ５０をソケット２２の基端部寄り（光源交換用の開口部１３ａの近傍）に配置することで、リフレクター２６をソケット２２近傍位置まで延出形成して、リフレクター２６の有効反射面の拡大による光源光の有効利用が図られている。
【００７１】
即ち、ソケット２２の先端寄りにコネクタ５０を設けた方が、コネクタ５０の挿脱着の操作がし易いが、ソケット２２に対し直交する方向に大きく延出するコネクタ５０がリフレクター２６と干渉するため、リフレクター２６をソケット２２近傍まで延出形成できない。そこで、リフレクター２６と干渉しないように、コネクタ５０をソケット２２の基端部寄り（光源交換用の開口部１３ａの近傍）となるように設計することで、リフレクター２６をソケット２２近傍位置まで延出形成でき、リフレクター２６の有効反射面積が大きくなって、標識灯ユニット２０の配光量が高められている。
【００７２】
次に、本発明の第２の実施例を図４に基づいて説明する。図４は本発明の第２の実施例である自動車用前照灯の要部である標識灯ユニットの縦断面図である。
【００７３】
前記した第１実施例では、灯室内給電線６３と光源２１とを接続するコネクタ５０の挿脱着方向がソケット２２の延出する方向と直交する方向に構成されているため、コネクタ５０を含む灯室内に延出する光源２１全体の外周の大きさ（ソケット２２の基端部前面部２２ｂの外径）がある程度大きくなって、それだけ光源交換用の開口部１３ａも大きくなるのに対し、この第２の実施例では、給電線６３と光源２１とを接続するコネクタ５０の挿脱着方向が、ソケット２２の延出する方向に沿って構成されているため、コネクタ５０を含む灯室内に延出する光源２１全体の外周の大きさ（ソケット２２の基端部前面部２２ｂの外径）はそれほど大きくはならず、それだけ光源交換用の開口部１３ａを小さくできる点に特徴がある。
【００７４】
その他は、前記した第１の実施例と同一であるので、同一の符号を付すことで、その重複した説明は省略する。
【００７５】
この第２の実施例では、第１の実施例よりも、光源交換用の開口部１３ａの大きさＤを小さくできるので、光源交換のための灯具１０後方の占有スペースを小さくできる。
【００７６】
また、光源交換用の開口部１３ａの大きさが小さくなる分、封止部材であるＯリング３６がコンパクトになるとともに、開口部１３ａにおける防水機能も向上する。
【００７７】
なお、前記した第１，第２実施例において、標識灯ユニット２０は、光源本体２４の発光を灯室前方に反射するリフレクター２６を光源本体２４の周囲に設けて、光源本体２４の発光を有効に利用する構造であるが、リフレクター２６を設けることなく、主として光源本体２４の発光により配光を形成する直射タイプの標識灯ユニットであってもよい。
【００７８】
また、前記した実施例では、光源２１（のソケット２２）は、バヨネット係合により光源交換用の開口部１３ａに挿着されているが、光源２１（のソケット２２）を開口部１３ａに取り外し可能に固定する手段としては、バヨネット係合による固定に限るものではなく、ねじ止めその他の取り外し可能な公知の固定手段であってもよい。
【００７９】
また、前記した実施例では、光源交換用の開口部１３ａ，１３ｂは、ランプボディ１２の背面壁における光源２１，４８にそれぞれ対応する位置に設けられているが、開口部１３ａ，１３ｂを設ける位置は、ランプボディ１２の背面壁に限るものではなく、ランプボディ１２における光源２１，４８にそれぞれ対応する位置であればよい。
【００８０】
また、前記した実施例では、灯室Ｓ内に光源２１，４８が配置され、光源用コネクタ５０を介して光源２１，４８のソケット２２，４８ａにそれぞれ接続された灯室内給電線６３，６４が、ランプボディ１２の所定位置に設けた集約コネクタ７０を介して灯室外給電線６１，６２に接続されているが、灯室Ｓ内に２個以上の光源が配置され、光源用コネクタを介して各光源のソケットにそれぞれ接続された灯室内給電線が、ランプボディ１２の所定位置に設けた集約コネクタ７０を介して灯室外給電線に接続された構造であってもよい。
【符号の説明】
【００８１】
１０  自動車用前照灯（灯具）
１２  ランプボディ
Ｓ  灯室
１３ａ，１３ｂ  光源交換用の開口部（バヨネット係合部を構成する円形開口部）
１４  切欠
１８  前面カバー
２０  標識灯ユニット
２１  光源（白熱バルブ）
２２  ソケット
２２ｂ  ソケット基端部の前面部
２３  フランジ部
２４  光源本体（白熱電球）
３０  バヨネット係合部
３４  バヨネット部である係合突起
３６  開口部封止部材であるＯリング
４０  前照灯ユニット
４１  投射ユニット
４８  光源（ディスチャージバルブ）
４８ａ  ソケット（絶縁性ベース）
４８ｂ  光源本体（アークチューブ）
５０  光源用コネクタ
５２  コネクタ雄部
５４  コネクタ雌部
６１，６２  灯室外給電線
６３，６４  灯室内給電線
７０  集約コネクタ
７２  コネクタ雄部
７４  コネクタ雌部
【図１】
2013008509.tif 000003
【図２】
2013008509.tif 000004
【図３】
2013008509.tif 000005
【図４】
2013008509.tif 000006